(57)【特許請求の範囲】
【請求項１】
記憶装置からフレームに基づくデータの系列を読み出すと共に、第１フレーム系列における第１編集点から第２フレーム系列における第２編集点へ連結するように前記系列を編集するように動作する手段を有するデータ処理装置において、前記記憶されたフレーム系列の各々に関して、前記フレームの幾つか（以下、"Ｉフレーム"）は当該系列の如何なる他のフレームも参照することなく内部符号化され、前記フレームの幾つか（以下"Ｐフレーム"）は当該系列の１つの他のフレームを参照して各々符号化され、前記フレームの残りのもの（以下、"Ｂフレーム"）は当該系列の２以上の他のフレームを参照して各々符号化されており、前記データ処理装置は、前記第１及び第２編集点を連結するためのブリッジフレーム系列を、前記記憶された第１及び第２フレーム系列からのフレームの選択的な組み込み、及び該ブリッジフレーム系列内のこれらフレームの１以上の前記各編集点により示される前記第１及び第２フレーム系列からのフレームの符号化型式（Ｉ、Ｐ、Ｂ）により決定される選択的再符号化により、生成するよう構成されたブリッジ発生手段を含み、
前記ブリッジ発生手段は前記第１及び第２フレーム系列における各タイムスタンプを検出するように構成されると共に、これらタイムスタンプの間の不連続性を特定する値を導出し、該不連続性を取り除くために前記第２フレーム系列のタイムスタンプに付与されるべきオフセットを計算し、該オフセットを前記第２フレーム系列に適用する手段を含んでいることを特徴とするデータ処理装置。
【請求項２】
請求項１に記載のデータ処理装置において、前記系列のフレームがビデオ画像フレームであり、前記ブリッジ発生手段が前記編集された系列を、前記第１フレーム系列からブリッジへの及びブリッジから前記第２フレーム系列へのジャンプがフレーム境界で発生するようにして構築するように構成されていることを特徴とするデータ処理装置。
【請求項３】
請求項１に記載のデータ処理装置において、前記系列はビデオ画像フレームとオーディオデータフレームとの多重化された配列を有し、前記ブリッジ発生手段は前記ブリッジフレーム系列に前記第２フレーム系列からの寄与するビデオフレームの前に前記第１フレーム系列からの全ての寄与するビデオフレームを供給するように構成されていることを特徴とするデータ処理装置。
【請求項４】
請求項３に記載のデータ処理装置において、前記ブリッジフレーム系列における前記第１フレーム系列のオーディオフレームと前記第２フレーム系列のオーディオフレームとの間の接続部に、持続時間が１オーディオフレームまでのギャップが存在し、前記ブリッジ発生手段が該ギャップに、重なり合うオーディオフレームを挿入するよう構成されていることを特徴とするデータ処理装置。
【請求項５】
請求項１に記載のデータ処理装置において、前記記憶装置は書込可能であり、前記データ処理装置はフレームに基づくデータの１以上の系列を前記記憶装置上又は該記憶装置内の記憶位置に書き込むように動作する装置記録サブシステムを更に有していることを特徴とするデータ処理装置。
【請求項６】
記憶装置から読み出されるフレームに基づくデータの系列を第１フレーム系列における第１編集点から第２フレーム系列における第２編集点へ連結するように編集する方法において、前記フレーム系列の各々に関して、前記フレームの幾つか（以下、"Ｉフレーム"）は当該系列の如何なる他のフレームも参照することなく内部符号化され、前記フレームの幾つか（以下"Ｐフレーム"）は当該系列の１つの他のフレームを参照して各々符号化され、前記フレームの残りのもの（以下、"Ｂフレーム"）は当該系列の２以上の他のフレームを参照して各々符号化されており、前記方法は、前記第１及び第２編集点を連結するためのブリッジフレーム系列を生成するステップを含み、前記ブリッジフレーム系列は、該ブリッジフレーム系列内のフレームの選択的再符号化が前記各編集点により示される前記第１及び第２フレーム系列からのフレームの符号化型式（Ｉ、Ｐ、Ｂ）により決定されるようにして、前記第１及び第２フレーム系列からのフレームを組み込み、
前記方法は、更に、前記第１及び第２フレーム系列における各タイムスタンプを検出し、これらタイムスタンプの間の不連続性を特定する値を導出し、該不連続性を取り除くために前記第２フレーム系列のタイムスタンプに付与されるべきオフセットを計算し、該オフセットを前記第２フレーム系列に適用するような各ステップを含んでいることを特徴とする方法。
【請求項７】
請求項６に記載の方法において、前記系列のフレームはビデオ画像フレームであり、前記編集された系列は、前記第１フレーム系列からブリッジへの及びブリッジから前記第２フレーム系列へのジャンプがフレーム境界で発生するように構築されることを特徴とする方法。
【請求項８】
請求項６に記載の方法において、前記系列はビデオ画像フレームとオーディオデータフレームとの多重化された配列を有し、前記ブリッジフレーム系列へは前記第２フレーム系列からの寄与するビデオフレームの前に前記第１フレーム系列からの全ての寄与するビデオフレームが供給されることを特徴とする方法。
【請求項９】
請求項８に記載の方法において、前記ブリッジフレーム系列における前記第１フレーム系列のオーディオフレームと前記第２フレーム系列のオーディオフレームとの間の接続部に、持続時間が１オーディオフレームまでのギャップが存在し、該ギャップは重なり合うオーディオフレームの挿入により満たされることを特徴とする方法。
【請求項１０】
請求項６ないし９の何れか一項に記載の方法において、前記記憶装置は光ディスクであり、前記ディスク上の前記データの系列の位置は該ディスクにより保持される内容テーブルにより示されることを特徴とする方法。
【請求項１１】
請求項６に記載の方法において、前記第１編集点により示されるフレームはＢ−フレームであり、前記ブリッジフレーム系列の最初のフレームへのジャンプは、前記第１フレーム系列における表示順での最寄りの先行するＰ−フレームにおいてなされることを特徴とする方法。
【請求項１２】
請求項１１に記載の方法において、前記ジャンプに続く前記ブリッジフレーム系列の最初のフレームは、前記第１フレーム系列の前記編集点までのＢ−フレームが後続するような前記第２フレーム系列から抽出された基準フレームを有し、前記Ｂ−フレームが前記基準フレームに対して再符号化されていることを特徴とする方法。
【請求項１３】
請求項６に記載の方法において、前記第１編集点により示されるフレームはＩ−フレーム又はＰ−フレームであり、前記ブリッジフレーム系列の最初のフレームへのジャンプが、前記第１フレーム系列における表示順での最寄りの先行するＢ−フレームに続いてなされることを特徴とする方法。
【請求項１４】
請求項６に記載の方法において、前記第２編集点により示されるフレームがＢ−フレームであり、前記第２フレーム系列へのジャンプに先行する前記ブリッジフレーム系列のフレームが、前記第２フレーム系列のフレームのうちのビットストリーム順で前記示されたフレームに先行する最寄りのＰ−フレーム及び該Ｐ−フレームと前記示されたフレームとの間に介在するＢ−フレームを有することを特徴とする方法。
【請求項１５】
請求項６に記載の方法において、前記第２編集点により示されるフレームがＰ−フレームであり、前記第２フレーム系列へのジャンプに先行する前記ブリッジフレーム系列のフレームが、前記示されたＰ−フレームを有することを特徴とする方法。
【請求項１６】
請求項１４又は請求項１５に記載の方法において、前記ブリッジフレーム系列から前記第２フレーム系列へのジャンプに先行して含まれるＰ−フレームの内容が、前記ブリッジフレーム系列においてＩ−フレームとして再符号化されることを特徴とする方法。
【請求項１７】
請求項６に記載の方法において、前記第２編集点により示されるフレームがＩ−フレームであり、前記第２フレーム系列へのジャンプに先行する前記ブリッジフレーム系列のフレームが、前記示されたＩ−フレームを有することを特徴とする方法。
【発明の詳細な説明】
【０００１】
【技術分野】
本発明は、フレームに基づく符号化されたオーディオ及び／又はビデオデータの、必須ではないが、特に該データ用の光ディスク記憶とＭＰＥＧ準拠の符号化方法の使用とに関連した、記憶、取り出し及び編集に関する。
【０００２】
【背景技術】
近年、家庭用及び商業用の両方のオーディオ及び／又はビデオ（ここでは、“Ａ／Ｖ”と言う）装置が、大量のユーザ対話をサポートすることへの需要が生じており、これから生じるのは、或る区画の終了と次のものの開始との間の移行をデコーダにより滑らかに処理することができるような、Ａ／Ｖ区画の繋ぎ目のない連結への要求である。このことは、ユーザの視点からは、視認されるフレームレートには知覚し得る変化がなく、オーディオは中断されることなく継続することを意味する。繋ぎ目のないビデオの用途は多数あり、特に家庭用の利用はホームムービーの編集、並びに記録された放送題材におけるコマーシャル中断及び他の中断の削除を含む。他の例は、スプライト（コンピュータにより発生される画像）用のビデオ系列背景を含み、この技術の例示的使用はＭＰＥＧ符号化されたビデオ系列の前面に走行する動画キャラクタであろう。他のものは、短い繋ぎ目のないクリップとして供給される一連のキャラクタ−ユーザ対話であり、この場合、一つの対話の結果が何のクリップが次ぎに現れるかを決定するであろう。これの発展型は、ユーザ（視聴者）が物語の筋に影響を与えることができるような対話型映画である。該対話型映画を通してユーザがとろうと選択する経路に沿う分岐点は、繋ぎ目が無いようにみえなければならず、さもなければ、ユーザは通常映画を見る場合に伴うような疑惑の結末期待感を失ってしまうであろう。
【０００３】
フレームに基づく符号化方法、特に、少なくともビデオ内容に関してフレーム間の予測符号化を含むＭＰＥＧ準拠型方法のような方法に伴う問題は、或る任意に選択されたフレームから他のフレームへは言うまでもなく、第１群の画像（ＧＯＰ）における最終フレームから新たなＧＯＰの最初のフレームへ単純にジャンプさせることが不可能であるということである。これは、以下に更に述べるように、なかでも、時間的依存性、タイミング及びバッファリングの束縛によるものである。
【０００４】
【発明の開示】
従って、本発明の１つの目的は、記憶されたオーディオ及び／又はビデオクリップ又はフレーム系列の読み出しを、これらが知覚可能な妨害を生じることなく連結され得るような態様で可能にすることにある。
【０００５】
本発明によれば、記憶装置からフレームに基づくデータの系列を読み出すと共に、第１フレーム系列における第１編集点から第２フレーム系列における第２編集点へ連結するように前記系列を編集するように動作する手段を有するデータ処理装置において、前記記憶されたフレーム系列の各々に関して、前記フレームの幾つか（以下、“Ｉフレーム”と称す）は当該系列の如何なる他のフレームも参照することなく内部符号化され、前記フレームの幾つか（以下“Ｐフレーム”と称す）は当該系列の１つの他のフレームを参照して各々符号化され、前記フレームの残りのもの（以下、“Ｂフレーム”と称す）は当該系列の２以上の他のフレームを参照して各々符号化されており、前記装置は、前記第１及び第２編集点を連結するためのブリッジフレーム系列を、前記記憶された第１及び第２フレーム系列からのフレームの選択的な組み込み、及びこれらフレームの１以上の前記ブリッジ系列内への前記各編集点により示される前記第１及び第２系列からのフレームの符号化型式（Ｉ、Ｐ又はＢ）により決定される選択的記録により、生成するよう構成されたブリッジ発生手段を含んでいるようなデータ処理装置が提供される。
【０００６】
また、本発明によれば、第１フレーム系列における第１編集点から第２フレーム系列における第２編集点へ連結するようなフレームに基づくデータの系列を編集する方法において、前記フレーム系列の各々に関して、前記フレームの幾つか（以下、“Ｉフレーム”）は当該系列の如何なる他のフレームも参照することなく内部符号化され、前記フレームの幾つか（以下“Ｐフレーム”）は当該系列の１つの他のフレームを参照して各々符号化され、前記フレームの残りのもの（以下、“Ｂフレーム”）は当該系列の２以上の他のフレームを参照して各々符号化されており、前記方法は、前記第１及び第２編集点を連結するためのブリッジフレーム系列を生成するステップを含み、前記ブリッジフレーム系列は、該ブリッジ系列内へのフレームの選択的記録が前記各編集点により示される前記第１及び第２系列からのフレームの符号化型式により決定されるようにして、前記第１及び第２フレーム系列からフレームを組み込むような方法が提供される。
【０００７】
上記記憶装置への及び該記憶装置からのデータ伝送を扱う信号処理装置の適切に構成された副部分により実行することができる上記ブリッジ系列の発生の使用により、時間的な依存性並びに斯かる符号化及び多重化技術で使用されるバッファリングモデルのために、単純な切り貼り編集が如何なるフレーム境界でもなすことができるというものではないようなＭＰＥＧ準拠の及び同様のプログラムストリームにおけるビデオ−及び／又はオーディオ−フレームの正確な編集を行うという問題に対処する手段が提供される。
【０００８】
本発明の他の特徴は請求項に記載されており、斯かる特徴の開示は言及により本明細書に含まれているので、これら特徴に注意を払われたい。本発明のこれら及び他の特徴は、例示としてのものであって制限するものではない以下の実施例に更に記載されている。
【０００９】
以下、好ましい実施例を添付図面を参照して例示としてのみ説明する。
【００１０】
【発明を実施するための最良の形態】
以下の記載は、ＭＰＥＧ規格（ＭＰＥＧ１用のISO/IEC 11172及び、特にＭＰＥＧ２用のISO/IEC 13818）に従って動作するＡ／Ｖ装置を特に考えるものとするが、当業者は斯かるＭＰＥＧ規格に準拠しないＡ／Ｖ符号化方法への本発明の適用可能性も理解するであろう。
【００１１】
以下の記載は、時間的依存性及びＭＰＥＧ符号化及び多重化において使用されるバッファリングモデルのために、単純な切り取り及び貼り付け編集を如何なるフレーム境界においても実施することができるというのではないＭＰＥＧプログラムストリームにおいて、本発明が如何にしてビデオ−及び／又はオーディオ−フレームの正確な編集を実施するという問題に対処するかを説明する。
【００１２】
編集を容易化するために、ブリッジ系列が発生される。即ち、ＭＰＥＧデータの２つの元の記録を一緒に結合するために特別に構築された（以下に記載するように）ＭＰＥＧデータの短い系列である。以下に説明するように、或る状況では、有効なＭＰＥＧストリームを構築するために、該データの区画を部分的に復号し及び再符号化する必要が生じる。
【００１３】
当該ビデオ編集における最終的要素は、制御構造、即ち再生リストである。これは、再生システムに、ストリームを介してどの様に順番を進めるかを指示する。該リストは、元のストリームからの出口点及びブリッジ系列の始点に関する情報を含んでいる。該リストは、ブリッジ系列の終点から第２ストリームの何処にジャンプするかについての情報を含んでいる。該リストは、再生の管理を容易にするための他の情報も含んでいる。
【００１４】
図１は、光ディスク記録及び再生装置の形の、本発明を扱うのに適した装置の実施例を示している。該装置の説明においては、フレームに基づくビデオ信号の扱いに注目するが、オーディオ又はデータ信号のような他の型式の信号も交互に又は加えて処理することができ、また、本発明は磁気データ記憶手段及びコンピュータハードディスク装置のような他のメモリ装置にも同様に適用可能であることは理解されるであろう。
【００１５】
該装置は、光ディスク３上に記録されるべきビデオ信号を入力する入力端子１を有している。更に、該装置は上記ディスクから再生されたビデオ信号を供給するための出力端子２を有している。
【００１６】
ディスク３のデータ領域は、対応するセクタアドレスを有する連続した範囲の物理セクタからなっている。このアドレス空間は系列領域に分割され、１つの系列領域はセクタの連続した系列である。該装置は、図１に示すように、２つの主要なシステム部分、即ちディスクサブシステム６と、ここではビデオレコーダサブシステム８と呼ばれる記録及び再生の両方を制御するものとに分解される。これら２つのサブシステムは、容易に理解されるように、上記ディスクサブシステムが論理アドレスにより透明的にアドレス指定され得ると共に読み出し及び／又は書き込みのための最大の適切なビットレートを保証することができることを含み、多数の機能により特徴付けられる。
【００１７】
図２は、上記装置の概念図を更に詳細に示している。該装置は、図１のサブシステム８に組み込まれる信号処理ユニット１００を有している。該信号処理ユニット１００は入力端子１を介して前記ビデオ信号を入力すると共に、該ビデオデータをディスク３上に記録するためのチャンネル信号へと処理する。破線１０２で示す読出／書込ユニットが設けられ、該ユニットは図１のディスクサブシステム６に組み込まれる。該読出／書込ユニット１０２は、光ディスク３から読み出し／該ディスクへ書き込むように構成された読出／書込ヘッド１０４を有している。該ヘッド１０４をディスク３の半径方向に位置決めするために位置決め手段１０６が存在する。また、ディスク３への又は該ディスクからの信号を増幅するために、読出／書込増幅器１０８が存在する。信号発生ユニット１１２により供給されるモータ制御信号に応答して、モータ１１０がディスク３を回転させる。制御ライン１１６、１１８及び１２０を介して全ての回路を制御するために、マイクロプロセッサ１１４が存在する。
【００１８】
信号処理ユニット１００は、入力端子１を介して入力されたビデオデータを、チャンネル信号における情報ブロックに変換するようになっている。該情報ブロックのサイズは、可変とすることができるが、（例えば）２ＭＢと４ＭＢとの間でありえる。書込ユニット１０２は、該チャンネル信号における情報ブロックをディスク３上の系列領域に書き込むようになっている。元のビデオ信号に対応する情報ブロックは、図３の記録図に見られるように、必ずしも連続している必要はない多数の系列領域に書き込まれるが、斯かる構成は断片化記録として知られている。リアルタイム期限を見たすほど充分に高速で斯かる断片化された記録部を記録し及び書き込むことができるのは、上記ディスクサブシステムの特徴である。
【００１９】
ディスク３上に先の記録ステップにおいて記録されたビデオデータの編集を可能にするために、該装置には、更に、ディスク３上に記録された第１ビデオ信号における出口位置（出口点）を入力すると共に、同一のディスク上に記録された第２ビデオ信号における入口位置（入口点）を入力するための入力ユニット１３０が設けられている。更に、該装置は信号処理ユニット１００に組み込まれて、以下に詳述するようにして２つのビデオストリームを連結するブリッジ系列を発生するためのブリッジ系列発生ユニット１３４を有している。
【００２０】
ビデオ信号の記録を、図３を参照して簡単に説明する。前記ビデオレコーダサブシステムにおいては、リアルタイム信号であるビデオ信号が、図３の上側部分に示すように、リアルタイムファイルＲＴＦに変換される。該リアルタイムファイルは、対応する（断片化されてはいるが）系列領域に記録するための一連の信号ブロック系列ＳＥＱからなる。ディスク上の系列領域の位置に関しては束縛はないので、記録されるビデオ信号のデータ部分を有する何れかの２つの連続する系列領域は、図３の下側部分に示すように、論理アドレス空間ＬＡＳにおける何処でも良い。各系列領域内では、リアルタイムデータは連続的に割り当てられている。各リアルタイムファイルは、単一のＡ／Ｖストリームを表す。該Ａ／Ｖストリームのデータは、系列データをファイル系列の順序で連結することにより得られる。
【００２１】
次ぎに、ディスク３上に記録されたビデオ信号の再生を図４を参照して簡単に説明する。ビデオ信号の再生は、再生制御（ＰＢＣ）プログラムにより制御される。通常、各ＰＢＣプログラムは新たな再生系列ＰＢＳを定義し、該再生系列は記録されたビデオ及び／又はオーディオ区画の編集版を有すると共に各系列領域からの区画の系列を特定することができる。図３と図４との比較から分かるように、元のファイル系列（図３からの）を再生成する必要があるＰＢＣは、断片化されて記録された区画を再配列して、上記元の系列に対応する再生フレーム連続を得る。
【００２２】
ディスク３上に記録された１以上のビット信号の編集を図５を参照して説明するが、該図は“ファイルＡ”及び“ファイルＢ”と称される２つの断片の系列により示される２つのビデオ信号を図示している。以前に記録された１以上のビデオ信号の編集版を実現するために、以前のＡ／Ｖ記録からの部分を新たな順序で連結することにより得られるＡ／Ｖ系列を定義するために新たなＰＢＣプログラムが発生される。上記部分は、同一の記録からでも又は異なる記録からでもよい。ＰＢＣプログラムを再生するために、（１以上の）リアルタイムファイルの種々の部分からのデータが、デコーダに供給されねばならない。これは、各リアルタイムファイルにより表されるストリームの部分を連結することにより得られる新たなデータストリームを意味する。図５においては、これが、３つの部分、即ちファイルＡからの１つの部分とファイルＢからの２つの部分とを使用するＰＣＢプログラムに関して図示されている。
【００２３】
図５は、上記編集版が、ファイルＡの領域の連なりにおける点Ｐ１において開始し、該ファイルＡの領域における点Ｐ２まで継続することを示している。次いで、再生はファイルＢの系列領域における点Ｐ３にジャンプし、該ファイルＢの他の系列領域における点Ｐ４まで継続する。次の再生は、同じファイルＢにおける点Ｐ５にジャンプするが、該点はファイルＢの系列領域の連なりにおける点Ｐ３よりも早い点か、又は該連なりにおける点Ｐ４よりも遅い点であり得る。ファイルＢの系列領域における点Ｐ５から点Ｐ６まで、再生が継続する。移行部Ｐ２−Ｐ３及びＰ４−Ｐ５に対するブリッジ系列の発生は、明瞭化のために図５からは削除した。これらブリッジ系列の理由及びその発生の理由を次ぎに考察する。
【００２４】
一般的に理解されるように、下記の例はフィールドに基づくというよりフレームに基づく編集に関するものである。何故なら、ＭＰＥＧにおけるビデオ符号化の通常の単位はフレームであるからである。当業者であれば、ＭＰＥＧ準拠は必須（上述したように）ではなく、ここで説明する技術は非ＭＰＥＧのフィールドに基づくデータにも適用することができることが理解されるであろう。
【００２５】
ブリッジ系列を使用して或るＭＰＥＧストリームから他のものへ繋ぎ目のない編集を作成するために、以下に要約され且つ以下で詳細に考察するように、多数の要因及び条件を検討しなければならない。
【００２６】
初歩的なストリームから開始して、先ずビデオの問題を考察する：
【００２７】
フィールド順序：順序（上−下）は当該ブリッジ系列への又は該系列からの全てのジャンプにわたって維持されねばならない。
【００２８】
解像度変化：解像度の変化があった場合、必要なら、繋ぎ目のない再生を保証することができる。限られた数の許容される解像度レベル（例えば、半又は全）を使用することが可能なら、当該装置は単純化され得る。
【００２９】
３：２こまピッチ（pull-down）：フィールド順序（上−下）は全てのジャンプにわたり維持されねばならない。
【００３０】
混合フレームレート（例えば、ＮＴＳＣ又はＰＡＬからの）：これらの状況においては、繋ぎ目のない再生は当該装置への追加の費用及び複雑さでのみ保証され得る。何故なら、このような混合は表示のための垂直同期の変更を必要とするからである。規格、従ってフレームレートの斯かる混合は、したがって、可能な限り避けるべきである。
【００３１】
画像形式：以下に述べるように、関わる画像形式（Ｉ、Ｐ、Ｂ）に応じて異なる動作が必要となるであろう。
【００３２】
オーディオの問題に移ると、第１のものはギャップの問題である。混合Ａ／Ｖストリームにおける編集に関しては、通常ビデオでは接続は繋ぎ目無しとなるであろうが、オーディオフレームは、通常、ビデオフレームに対して異なる持続時間のものであるので、オーディオフレーム構造においては、ギャップ又は重なりの何れかの形態での不連続性が存在し得る。これを処理するには、プレーヤ制御を補助するために、再生リストに情報が必要となる。他のオーディオの問題はフレーム構造の問題であり、完全なオーディオフレームの連続した系列がデコーダに提供されるのは、ブリッジ系列の生成器の責任である。
【００３３】
多重の問題を考えると、接続部における何れかのフレーム境界においてシステムクロック基準（ＳＣＲ）タイムベースのジャンプが発生する可能性があり、従って、デコーダは正しいタイムベースを再構築することができなければならない。加えて、全ての繋ぎ目無しジャンプにわたり、システムターゲットデコーダ（ＳＴＤ）の境界が尊重されねばならず、これを保証するのはブリッジ系列を作成する処理の責任である。多重化からは、オーディオスキューの問題が生じる。即ち、典型的な実施化構成においては、同時的に復号されたオーディオ及びビデオの到達時間の間にはスキューが存在するであろう。これに対処するために、デコーダはジャンプがなされ得る前に、多重化されたストリームからの追加のオーディオのフレームを読み取る能力を有さねばならない。
【００３４】
最後に、主要なディスクバッファリングの問題は割り付け要件の問題であり、最少の連続した領域のための要件が満たされることを保証するのは、当該編集を作成する処理の責任である。
【００３５】
先に提案したように、ビデオストリームの復号及び供給という点での接続は、図６に概略示すように、繋ぎ目なしになされなければならない。従って、出口点の後又は入口点の前の不必要な画像は、当該系列の該編集点周辺の部分を再符号化する処理の間に除外される。データの連続的な供給は繋ぎ目無しの復号のための必須条件であり、斯かる供給はファイルシステムにより保証されねばならない。
【００３６】
接続の前の系列（SEQ.1）の終わりにはＭＰＥＧ系列終了コードが配置され、該接続の後の系列（SEQ.2）の開始には系列ヘッダが存在する。SEQ.1の終わり及びSEQ.2の開始におけるビデオ題材は、再符号化される必要がありそうである。図７に示すように、当該接続はビデオブリッジ系列を作成することによりなされる。該ブリッジ系列は、出口点及び入口点の両側における元の内容からの再符号化されたビデオからなる。該ブリッジの第１部分はSEQ.1の終端を形成する。該第１部分は、意図する出口点までの及び該出口点を含む符号化されたビデオの一片である。該片は、SEQ.1の前のフレームへ接続し、且つ、連続した準拠した基本的ストリームを形成するために再符号化される。同様に、当該ブリッジの第２部分はSEQ.2の先頭を形成する。該第２部分は、SEQ.2における入口点以降の符号化されたデータからなる。該データは、復号のための実効的な開始点となると共に、SEQ.2の残部に接続して連続した準拠した基本的ストリームを形成するために再符号化される。該ビデオブリッジは、上記２つの系列間の接続部を含む。SEQ.1及びSEQ.2における全てのビデオデータはＭＰＥＧビデオ仕様に準拠し、SEQ.2はＩ画像及びＧＯＰヘッダで開始する。該Ｉ画像は、当該ＧＯＰにおける最初の供給単位である（時間的基準＝０）。これは、当該系列のビデオデータの間に“きれいな中断”が存在することを保証すると共に、SEQ.1からのビデオデータの最終バイトがSEQ.2からのビデオデータの如何なるバイトが送られる前に送られることを意味する。課される更なる制限は、ビットストリーム内で規定されるビデオ供給単位が、接続部における供給にフレームギャップもフィールドギャップも伴うことなく、該接続部にわたり連続していなければならないということを含む。
【００３７】
オーディオに関しては、ビデオ及びオーディオのフレームサイズの差が、接続部においてオーディオ供給単位の系列内にギャップが生じることに繋がる可能性がある。１オーディオフレーム期間より短いギャップは耐えられるが、この点に他のオーディオフレームを、１オーディオフレーム期間より短いオーディオ供給単位で重なりが存在するように、挿入するのが好ましい。多重化の問題に関しては、SEQ.1の終わり、SEQ.2の開始及びブリッジ系列を形成する区画は再符号化されると共に再多重化され、且つ、ＳＴＤモデルに従うのを保証するために多重化ブリッジに記憶される。このＳＴＤモデルの要件を満たすために、該多重化ブリッジは上記ブリッジ系列よりも時間的に長い傾向がある。接続点の前、間及び後の全ての供給単位のタイミングは、単一の基準タイムラインにより、再生モデルにおいて該接続が繋ぎ目のないものとなるように決定される。
【００３８】
ファイル割り付けに関しては、上記接続部はデータの連続した供給が前記ファイルシステムにより保証されるように構築される。これは、上記多重化ブリッジを、SEQ.1及びSEQ.2の本体に接続された新たな割り付けの一部として割り付けることによりなされる。データの連続するブロックの割り付けに関する条件を満たしてデータのリアルタイムな供給を可能にするように、SEQ.1における元のデータからSEQ.1の終わりを含む新たな割り付けへのジャンプ点を選択し、この新たな割り付けは上記多重化ブリッジを少なくとも含んでいなければならない。この新たな割り付けは、必要なら、上記多重化ブリッジよりも長くすることができる。該ブリッジ割り付け（上記多重化ブリッジを含み、SEQ.1の終わりとSEQ.2の開始とを含む）は、斯様な断片の許容程度に関する条件を満たすように選択されねばならず、SEQ.2が元のデータ順序に戻る点は、連続したブロックの割り付けに関する上記条件を満たすように選択されねばならない。
【００３９】
SEQ.1の終点の近傍及びSEQ.2の始点の近傍のジャンプ点は、該多重化ブリッジの始点及び終点に直接は連結されないことに注意されたい。それらは、当該編集を作成するシステムにより、割り付け規則を満たすように選択されねばならない。編集入口点及び出口点の任意の選択に対して、ジャンプ点を上記連続供給条件を満たすように選択することは常に可能である。
【００４０】
ビデオ系列レベルにおいては、ブリッジ系列を形成するためにフレームは元の系列からコピーするか、又は復号し次いで再符号化するかの何れかとすることができる。再符号化する（改善された品質のために）か、コピーする（改善された速度のために）かについての判断は、幾つかの理由のうちの１つに依存する：
−  使用された基準画像が最早存在しないので、再符号化が不可避であろう；
−  基準画像が変化しているので再符号化が指示されるが、同一画像内容（再符号化はされているが）なので、再符号化するよりコピーするように判断され、正確さを速度と取り引きする；
−  ビットレートを低減するために再符号化が選択される。
【００４１】
以下に説明するように、考慮されるべき場合の幾つかの組合せが存在する。これらの例においては、文字Ｉ、Ｐ及びＢは、ＭＰＥＧ画像又はフレーム形式に関して、それらの通常の意味を有する。また、フレーム形式の文字に続く下付け数字はフレーム表示順を示し、下付け文字は源又は宛先を示し、下線は現在の例を示している特別なフレームを識別する。
【００４２】
第１例は、Ｂ画像として跳び出す源画像（第１系列におけるフレーム）を有している。
表示順では：
Ｉ0sＢ1sＢ2sＰ3sＢ4sＢ5sＰ6sＢ7sＢ8sＰ9sＢ10sＢ11s
ビットストリーム順では：
Ｉ0sＢ-1sＢ-2sＰ3sＢ1sＢ2sＰ6sＢ4sＢ5sＰ9sＢ7sＢ8s
当該ジャンプがフレームＢ5sから直接である場合は、デコーダはＰ6sを誤って表示するであろう。従って、編集出口点がＢ画像である場合は、該ジャンプは前の（表示順）Ｐ画像でなされなければならず、Ｂ画像をブリッジ系列において再符号化しなければならない。この場合、上記出口点までの画像の系列は：
Ｉ0sＢ-1sＢ-2sＰ3sＢ1sＢ2sREF_PICＢ*4sＢ*5s
となり、ここでREF_PICは宛先ストリームから取られた基準（Ｉ又はＰ）画像であり、Ｂ*4sＢ*5sは源ストリームのフレームＢ4s及びＢ5sに画像内容が対応するが新たな基準画像に基づいて再符号化されている。
【００４３】
他の構成においては、前述したような“きれいな中断”の接続を保証するために、Ｂ*4sの画像符号化型式は、宛先系列からREF_PICの源系列への注入が防止されるように、Ｐ−フレームに変更されねばならない。この変更により、出口点までの画像の順序は：
Ｉ0sＢ-1sＢ-2sＰ3sＢ1sＢ2sＰ*4sＢ5s
となる。
【００４４】
次の例では、跳び出す源画像はＰ−又はＩ−画像である。表示順では、元の系列は：
Ｉ0sＢ1sＢ2sＰ3sＢ4sＢ5sＰ6sＢ7sＢ8sＰ9sＢ10sＢ11s
ビットストリーム順では：
Ｉ0sＢ-1sＢ-2sＰ3sＢ1sＢ2sＰ6sＢ4sＢ5sＰ9sＢ7sＢ8s
出口点がＰ6sである場合は、ジャンプはビットストリーム順でＢ5sの後でなされる。跳び出す系列における全ての画像は正しく復号するであろうから、単純にコピーすることができる。Ｐ−画像の代わりにＩ−画像の場合も、同様である。
【００４５】
第３の例では、跳び込む宛先画像はＢ−画像である。表示順では、元の宛先系列は：
Ｉ0dＢ1dＢ2dＰ3dＢ4dＢ5dＰ6dＢ7dＢ8dＰ9dＢ10dＢ11d
である。ビットストリーム順では、元の宛先系列は：
Ｉ0dＢ-1dＢ-2dＰ3dＢ1dＢ2dＰ6dＢ4dＢ5dＰ9dＢ7dＢ8d
である。複合ブリッジ系列は：
ＸＸＸＸＸＸＸＸＰ6dＢ4dＢ5dＰ9dＢ7dＢ8d
であり、ここで、Ｘは源系列からコピー又は再符号化された画像である。ＸＸＸストリームに対する下記の各可能性を伴う２つの場合（上述のように、Ｉ−／Ｐ−画像に又はＢ−画像にジャンプするかに応じて）がある：
Ｉ0sＢ-1sＢ-2sＰ3sＢ1sＢ2s REF_PICＢ*4sＢ*5s
Ｉ0sＢ-1sＢ-2sＰ3sＢ1sＢ2sＰ6sＢ4sＢ5s
何れの場合においても、Ｐ6sはその基準画像を失っているので再符号化されねばならず、Ｂ4dは当該系列から削除されねばならず、Ｂ5dは再符号化されねばならず、Ｐ9dとＧＯＰ（画像群）内の全ての他の画像とはＰ6dが再符号化されているので再符号化されねばならない。しかしながら、連結の後の全ての画像は時間的基準が変更されるのを必要とするかもしれないが、単純にＰ9dをコピーして、整合ミスにより生じる限られた品質の劣化を許容することも通常は可能である。ここでも、接続部において前記のきれいな中断を維持するために、再符号化し、Ｐ6sの画像形式をＩ−フレームに変更することができる。Ｂ4は除外しなければならず、Ｂ5は再符号化される。ここでも、全てのフレームは再符号化されねばならないが、単に時間的基準を再計算することで充分であるとみなすことができる。
【００４６】
これらの例のうちの最後のものは、跳び込むべき宛先画像がＩ−又はＰ−画像である場合を考察する。表示順序では、元の宛先系列は：
Ｉ0dＢ1dＢ2dＰ3dＢ4dＢ5dＰ6dＢ7dＢ8dＰ9dＢ10dＢ11dＰ12dＢ13dＢ14dＰ15d
である。ビットストリーム順序では、元の宛先系列は：
Ｉ0dＢ-1dＢ-2dＰ3dＢ1dＢ2dＰ6dＢ4dＢ5dＰ9dＢ7dＢ8dＰ12dＢ10dＢ11dＰ15dＢ13dＢ14d
である。複合ブリッジ系列は：
ＸＸＸＸＸＸＸＸＰ9dＢ7dＢ8dＰ12dＢ10dＢ11d
であり、ここで、Ｘは源系列からコピーされ又は再符号化された画像である。先のように、ＸＸＸストリームに対する下記の一般化された可能性を伴い、Ｉ／Ｐ画像に又はＢ−画像にジャンプするかに応じて、２つの場合が存在する：
Ｉ0sＢ-1sＢ-2sＰ3sＢ1sＢ2s REF_PICＢ*4sＢ*5s
Ｉ0sＢ-1sＢ-2sＰ3sＢ1sＢ2sＰ6sＢ4sＢ5s
何れの場合においても、Ｐ9dはその基準画像を失っているので再符号化されねばならず、Ｂ7dとＢ8dとは何れも編集されたストリームとは関係がないので当該系列から削除されねばならず、Ｐ12dとＧＯＰ内の全ての他の画像とはＰ9dが再符号化されているので再符号化されねばならない。しかしながら、連結の後の全ての画像は時間的基準が変更される必要があるかもしれないが、単にＰ12dをコピーし、整合ミスにより生じる限られた品質の劣化を許容することも可能である。前述したように、最初のオプションにおいては、前記きれいな中断を維持するために、Ｂ*4sのフレーム形式を変更することによりREF_PICを置換することができる。
【００４７】
フィールド順序に移ると、これは繋ぎ目無し接続部にわたり維持されねばならない。通常、３：２こまピッチを使用しないフレーム構造化された符号化の場合、これは、編集がフレーム又はフィールド対に基づくものである場合はデフォルトの動作である。repeat_first_field(rff)及びtop_field_first(tff)フラグが使用される場合（ＭＰＥＧ規格エンコーダのオプション）は、フィールド優位の維持を保証するために注意を要する。これは、各符号化された画像がタイムスタンプを付されたＤＴＳ／ＰＴＳ（復号時スタンプ／供給時スタンプ）であれば、容易にされるであろう。それらがタイムスタンプを付されていない場合は、フィールド順序を決定するためにrff及びtffフラグを見る必要がある。これは、ジャンプに際して満たされなければなたない更なる基準である。
【００４８】
編集ポイントに“きれいな中断を”与えるために、多重化は、ＳＥＱ．２用の最初のデータが送られる前にSEQ.1用の全てのデータがＳＴＤの入力に送られるように強制される。これは、供給されたデータに単一の不連続点を与える。独立に考えた場合、SEQ.1及びSEQ.2は両方とも、他の多重化方法も使用することができるが、ISO/IEC 13818-1 P-STDに適切に（必須ではないが）従うことができることに注意されたい。SEQ.1及びSEQ.2の両方におけるビットパックの符号化及び多重化は、以下に述べるように、バッファリングの連続性のために束縛される。
【００４９】
SEQ.1におけるオーディオストリームの最終パケットは、該SEQ.1における最終ビデオ画像の供給期間の終わりを含むような供給間隔を持つサンプルを含んでいる。SEQ.2におけるオーディオストリームの最初のオーディオパケットは、該SEQ.2における最初のビデオ画像の供給期間の開始を含むような供給間隔を持つサンプルを含んでいる。この定義は、SEQ.1の終点及びSEQ.2の始点におけるオーディオパケットが、送り時点が重なるかもしれないことを意味する。この場合に必要とされるプレーヤの動作を以下に定義する。
【００５０】
系列の再生の間では、単一の系列を再生する際、単一のタイムベースのみからのデータがＳＴＤバッファ内に存在し、ＳＴＤモデルがISO/IEC 13818-1（ＭＰＥＧ２システム）で規定されるP-STDモデルに関して動作する。このようにして、オーディオ及びビデオの両方の連続した供給を保証することができる。
【００５１】
或る系列から他のものへの移行の間では、SEQ.2のタイムベースがSEQ.1のものとは同一でありそうにもない。ビデオデータの供給は繋ぎ目無しで継続されることが必要である。図８に示すように、オーディオ供給単位の供給時間に重なりＯＶがあり得る。
【００５２】
第１系列からブリッジ系列へ、次いで、第２系列へのジャンプを伴う、ＭＰＥＧストリームに関するタイムスタンプの不連続性の処理に関しては、上記２つの系列が上記ブリッジの中間で出会う不連続点において当該ストリームと共に記録されているSCR/DTS/PTSタイムスタンプのタイムベースの変更があるであろう。図９は、この構成を、第１系列Ａと第２系列Ｃとの間にブリッジ系列Ｂを伴う下記の例に関して図示している。該例においては、各画像はＡnにより示されるバイトのサイズを有している。
【００５３】
各画像は、システムクロックDTSAn、PTSAnに基づく復号及び供給タイムスタンプを有している。
【００５４】
各画像は、当該ビットストリームに記録された、又はビットストリームDTS’An、PTS’Anに記録された以前の値から推定されたＤＴＳ又はＰＴＳ用の値を有している。
【００５５】
各画像は、記録されたＳＣＲ値SCR’Anから導出することが可能な時点においてＳＴＤモデルに送り込まれる開始コードを有している。
【００５６】
各画像は、データがＳＴＤバッファSCRAnに送り込まれるＳＴＤモデルでの実際の時刻としての開示コードを有している。
【００５７】
画像周期はＴである。系列Ａに関しては：
SCR’An＝SCRAn及びDTS’An＝DTSAnであり、全ての画像ｎに当てはまる（言い換えると、当該プレーヤにおけるシステムクロックと当該ストリームに記録されたタイムベースとは同一である）。これが当てはまらない（例えば、先のジャンプの後）場合、それらは定数分相違するであろう。
【００５８】
ビデオ供給のタイミングを考察すると、供給は接続部を通してギャップなしに連続したものである。以下を使用する：
PTS1end  SEQ.1の最終のビデオ供給単位のビットストリームにおけるＰＴＳ
PTS2start   SEQ.2の最初のビデオ供給単位のビットストリームにおけるＰＴＳ
Ｔpp  SEQ.1の最終ビデオ供給単位の供給周期
次ぎに、上記２つのタイムベースの間のオフセット、STC_deltaが上記２つのビットストリームにおけるデータから次のように算出される：
STC_delata + PTS2start = PTS1end + Tpp
従って、
STC_delata = PTS1end − PTS2start + Tpp
【００５９】
時刻Ｔ1（SCR1video_end）、即ちSEQ.1の最終ビデオパックがＳＴＣに完全に入った時点までは、ＳＴＤに対する入力タイミングはSEQ.1におけるパックのＳＣＲ及びＳＴＣにより決定される。SEQ.1の残りのパックは、SEQ.1のmux_rateでＳＴＤに入るべきである。SEQ.1の最終バイトがバッファに入る時点は、Ｔ2である。Ｎが末尾部オーディオパケットにおけるバイト数であれば、多数の可能性のある計算オプションの１つは：
ΔＴ＝Ｔ2 − Ｔ1 = Ｎ／mux_rate
を使用するものであろう。時刻Ｔ2後は、ＳＴＤに対する入力タイミングはSEQ.2のタイムベースSTC’及びSCR’により決まり、ここで、STC’は以下のように算出される：
STC’ = STC + SCR_delta
入力スケジュールのこの定義は、SEQ.1の末尾部のオーディオアクセス単位及びSEQ.2の何れかの先頭部オーディオアクセス単位の送り時間に重なりを生じることに注意されたい。上記２つの系列の間にはデータの重なり又はインターリビングは存在しない。ビデオパックは、それらが重ならないように、構築されねばならない。デコーダは、タイムベースの重なりを処理するために何らかの追加のバッファリング（約１ｓ）を必要とする。
【００６０】
バッファリングに関しては、考慮されるべき幾つかの状況が存在する。最も制限的なものは、MPEG-2 PS STDモデルに対する完全な準拠が要求される場合である。もっと緩やかな考えは、ブリッジ系列への移行の間の増加された（倍のサイズの）バッファを可能にする。完全なＳＴＤ準拠に関しては、MPEG PSは、データがＳＴＤバッファにおいて１ｓより多くは消費しないという要件を有している。従って、ジャンプの１ｓ後に、ＳＴＤバッファ内のデータのみが新たな系列から来ることが分かる。
【００６１】
SEQ.1から送られたビデオデータを含む最終パックの最終バイトの送り時刻（ＳＣＲ）を、SEQ.1のパケットのＳＣＲ値を調べることにより、及びmux_rateから構築することができる。以下においては、この値はSCR1video_endである。以下のようにする：
SCR1video_end  SEQ.1の最終ビデオパックの最終バイトがＳＴＤに送られる際に測定されるＳＴＣの値とし、SEQ.1のパックのヘッダにおけるＳＣＲ及びmux_rateから計算することができる。
SCR’2video_start  SEQ.2の最初のビデオパックにおいて符号化されたＳＣＲの値（SEQ.2のタイムベースで測定された）とする。
SCR2video_start  SEQ.1のタイムベースに投影されたSCR’2video_startの値とする。これは、次のように計算することができる：
SCR2video_start = SCR’2video_start − STC_delta
ＳＴＤがジャンプを通して準拠されるためには、２つの条件が必要である。その条件の第１のものは、SEQ.1における末尾部のオーディオの受け渡しが、下記のように、SCR1video_end及びSCR2video_startにより定義される間隔内に含まれねばならないということである：
SCR1video_end + ΔTA ＜  SCR2video_start + ΔTB
SEQ.2において先頭部オーディオパケットを許容する結果、ΔＴBが不等式に付加されていることに注意されたい。この不等式を満たすためには、一方又は両方の系列の一部を再符号化及び／又は再多重化する必要があるであろう。第２の必要条件は、SEQ.1のＳＣＲ及び同一のタイムベースに投影されたSEQ.2のＳＣＲにより規定される、SEQ.2からのビデオが後続するSEQ.1からのビデオの受け渡しが、ビデオバッファのオーバーフローを生じてはならないといことである。
【００６２】
オーディオの問題に移り、パケットの整列から開始すると、同時に復号されたオーディオとビデオの到達時間の間には、通常、かなりのスキューが存在する（平均して、約＞１００ms）。このことは、系列Ａから必要とされるビデオの最終フレームの読み取りの終了時に、他の幾つかのフレームのオーディオ（及び、勿論、スキップすることができない限り、ビデオも）を多重化されたストリームから読み取らねばならないことを意味している。ジャンプが遅延され、ビデオが停止されねばならないか、又は好ましくはオーディオがブリッジ系列に再多重化されねばならないかの何れかである。図１０を参照すると、ビデオパケットＶ４がジャンプの前に最終ビデオ画像の終了を含んでいるなら、オーディオパケットＡ２、Ａ３、Ａ４が系列Ａから抽出され、並びにブリッジ系列にコピーし及び再多重化する必要があるかもしれない。
【００６３】
同様の状況が、ブリッジの後に系列Ｃに跳び戻る場合に当てはまる。到達される最初のオーディオフレームは、供給時間がジャンプ点におけるビデオよりも早そうであるが、オーディオはジャンプにまたがって連続していなければならない。ビデオ用のジャンプ点を選択した場合、ブリッジ系列内のオーディオが系列Ｃ内のオーディオと整合するであろうことを確かめる必要がある。
【００６４】
オーディオギャップの点では、オーディオとビデオのフレーム持続時間の相違から、繋ぎ目のない（ビデオでの）連結がなされる点で、オーディオフレーム化の周期性に中断が存在するであろう。この中断は、長さが約１オーディオフレーム（２４ms）までである。該中断は、連結を印すビデオフレームの近傍で発生する。前記再生リスト中のタイミング情報が、この中断をオーディオデコーダが管理するのを補助するであろう。
【００６５】
ディスク割り付けレベルにおいては、基本的ストリーム及び多重化要件が一旦満たされると、ブリッジ系列がディスク上の連続したアドレス範囲に割り付けられ得るように充分に長いこと、及び系列Ａ及び系列Ｃ内の当該ブリッジの両側における区画が充分長いままであることを保証することも必要である。これの一例が、１９９８年３月１９日に出願された本出願人のヨーロッパ特許出願第98200888.0号に記載されている。基本要件は、１つの特定のディスク構成に対してブリッジ系列は長さが２Ｍバイトと４Ｍバイトとの間であり、ブリッジの両側の断片の部分が２Ｍバイトよりも長いままであるということである。しかしながら、この制限は全ての場合に当てはまるというものではない。
【００６６】
上記においては、時間的依存性、及びＭＰＥＧ並びに同様の符号化及び多重化技術に使用されるバッファリングモデルのために、単純な切り取り及び貼り付け編集をどのフレーム境界においても行うことができるというものではないような、ＭＰＥＧ準拠及び同様のプログラムストリームにおけるビデオ−及び／又はオーディオ−フレームの正確な編集を行う問題に対処する手段を説明した。編集を容易にするために、ブリッジ系列、即ち、ＭＰＥＧ又は同様のデータの２つの元の記録を一緒に連結するよう特別に構築された（上述したような態様で）符号化に準拠したデータの短い系列を発生する。
【００６７】
本開示を読むことにより、当業者にとっては他の変形例が明らかとなるであろう。このような変形例は、オーディオ及び／又はビデオ信号を編集する方法及び装置並びにそれらの構成部分において既知であり、且つ、ここで述べた特徴の代わりに又は追加として使用することができるような他の特徴を含むことができる。
【図面の簡単な説明】
【図１】  図１は、本発明を採用するのに適した光ディスク記録／再生装置のブロック概念図。
【図２】  図２は、図１の装置における構成要素を示す更に詳細な概念図。
【図３】  図３は、情報のブロックの、光ディスク上の系列領域への記録を示す。
【図４】  図４は、図３のディスク上に記憶された情報の再生を示す。
【図５】  図５は、記憶されたビデオデータの編集を、ブリッジ系列を削除して概略的に示す。
【図６】  図６は、一対のＭＰＥＧビデオ画像ストリーム用の所要の連結点を供給順に示す。
【図７】  図７は、系列の境界を、発生されたブリッジ系列とに関係させて示す。
【図８】  図８は、ビデオ及びオーディオ信号フレームの持続時間の差と、それらのデータパックサイズとの関係を概念的に示す。
【図９】  図９は、２つのＡ／Ｖフレーム系列の間のブリッジ区間の生成を示す。
【図１０】  図１０は、複合Ａ／Ｖパケットストリームにおけるオーディオパケットの遅れを示す。
【符号の説明】
１  入力端子
２  出力端子
３  光ディスク
６  ディスクサブシステム
８  ビデオレコーダサブシステム
１００  信号処理ユニット
１０２  読出／書込ユニット
１３０  入力ユニット
１３４  ブリッジユニット
ＳＥＱ  系列
【図１】
0004864203.tif 000002
【図２】
0004864203.tif 000003
【図３】
0004864203.tif 000004
【図４】
0004864203.tif 000005
【図５】
0004864203.tif 000006
【図６】
0004864203.tif 000007
【図７】
0004864203.tif 000008
【図８】
0004864203.tif 000009
【図９】
0004864203.tif 000010
【図１０】
0004864203.tif 000011